(57)【特許請求の範囲】
【請求項１】
無線狭帯域受信機を動作する方法であって、
前記無線狭帯域受信機のチャネル上で信号を受信することと、ここにおいて、前記信号のうちの少なくとも一部は、第１の無線送信機から受信される、
干渉が前記チャネル上に存在するか否か、および、前記信号を受信する際に誤りが検出されるか否かを決定することと、
干渉が前記チャネル上に存在し、前記信号を受信する際に誤りが検出されるとの決定に応じて、
前記チャネルの１以上の隣接周波数の受信信号の強度を測定することと、
前記１以上の隣接周波数の受信信号の強度の測定値をメモリに記憶することと
を備え、
前記測定値は、干渉源のタイプを決定するために使用され、
前記干渉源のタイプは、広帯域送信機または狭帯域送信機であり、
前記無線狭帯域受信機は、前記受信信号の測定周波数を回転させるように動作可能な回転装置を含み、
前記チャネルの１以上の隣接周波数の受信信号の強度を測定することは、前記回転装置を使用して、前記回転装置の波形を通して、ステップのサインおよび数を変更することによって、前記受信信号の前記測定周波数を前記チャネルの前記１以上の隣接周波数に回転させることを備える方法。
【請求項２】
前記第１の無線送信機は、無線狭帯域送信機である、請求項１に記載の方法。
【請求項３】
前記無線狭帯域受信機は、適応周波数ホッピングアルゴリズムを実施する、先行請求項のうちのいずれかに記載の方法。
【請求項４】
前記測定値は、前記チャネル上の干渉源が、無線広帯域送信機であるか、第２の無線狭帯域送信機であるかを決定するために使用される、先行請求項のうちのいずれかに記載の方法。
【請求項５】
前記誤りは、
前記受信信号を相互に関連付けないこと、
周期的冗長検査（ＣＲＣ）の失敗、
ＰＨＹ誤り
のうちの少なくとも１つを備える、先行請求項のうちのいずれかに記載の方法。
【請求項６】
前記無線狭帯域受信機は、前記受信信号の測定周波数を第１の周波数量ぶん回転させるように動作可能な回転装置を含み、
前記チャネルの１以上の隣接周波数の受信信号の強度を測定することは、前記チャネルの前記１以上の隣接周波数のそれぞれの隣接周波数ごとに、
前記受信信号の測定周波数を、１回以上、前記第１の周波数量ぶん回転させ、それによって、前記測定周波数を前記それぞれの隣接周波数に回転することと、
前記それぞれの隣接周波数の前記受信信号の強度を測定することと、を備える、先行請求項のうちのいずれかに記載の方法。
【請求項７】
前記チャネルの１以上の隣接周波数の受信信号の強度を測定することは、周波数ドメイン変換を前記受信信号に適用することを備える、先行請求項のうちのいずれかに記載の方法。
【請求項８】
前記チャネルの１以上の隣接周波数の受信信号の強度を測定することは、
周波数ドメイン変換を前記受信信号に対して適用することと、
前記周波数ドメイン変換された信号から前記チャネルの前記１以上の隣接周波数の受信信号の強度を測定することと
を備える、先行請求項のうちのいずれかに記載の方法。
【請求項９】
前記チャネルの１以上の隣接周波数の受信信号の強度を測定することは、干渉が前記チャネル上に存在しない場合、あるいは、前記信号を受信する際に誤りが検出されない場合、実行されない、先行請求項のうちのいずれかに記載の方法。
【請求項１０】
前記無線狭帯域受信機は、ブルートゥース受信機である、先行請求項のうちのいずれかに記載の方法。
【請求項１１】
干渉が前記チャネル上に存在するか否かを決定することは、前記チャネル上の受信信号の強度が、第１の閾値を上回るか否か、および、前記信号を受信する際に誤りが検出されるか否かを決定することを備える、先行請求項のうちのいずれかに記載の方法。
【請求項１２】
請求項１乃至１１のいずれかに記載の方法にしたがって動作する無線狭帯域受信機。
【発明の詳細な説明】
【技術分野】
【０００１】
本発明は一般的に無線通信に関し、より詳細には、無線デバイスにおいて干渉を有するチャネルの隣接周波数上の受信信号強度を測定することに関する。
【背景技術】
【０００２】
無線通信は、ラップトップ、携帯電話、および、他の無線通信デバイス（「無線デバイス」）のような多くのアプリケーションに使用されている。現在、多くの異なる無線通信プロトコルが一般的に使われており、そのうちのいくつかは、一般的な送信／受信帯域を共有する。例えば、無認可の２．４ＧＨｚ ＩＳＭ周波数帯域が、ＩＥＥＥ ８０２．１１（「Ｗｉ−Ｆｉ（登録商標）」）デバイス、ブルートゥース（登録商標）デバイス（便宜上、本明細書ではブルートゥースと呼ばれる）、および、コードレス電話によって一般的に使用されている。２つ以上のデバイスが（異なるプロトコルを使用しようと、同じプロトコルを使用しようと）同じチャネル上での送信を試みる場合、これは、送信されているデータの受信に対する潜在的な悪影響を伴って、干渉を引き起こすであろう。欧州特許出願ＥＰ １ ４０４ ０７２ Ａ１号公報は、８０２.１１ｂラジオ信号の識別に関する。ブルートゥースデバイスは、選択された周波数としてエネルギーレベルをサンプリングし、これらの周波数レベルを、広帯域信号のためのエネルギー分散パターンと比較する。干渉のあるケースにおいて、適応周波数ホッピングが使用されうる。
【０００３】
デバイス間の干渉を回避するために様々な技術が存在する。ブルートゥースは、例えば、適応周波数ホッピング技術を使用して、ノイズのあるチャネルを回避する。ブルートゥースデバイスは、周期的に、バックグラウンドスキャンを実行し、どのチャネルが利用可能であり、どれが使用中であるかを決定し、それに応じて、その周波数ホッピングアルゴリズムを決定するであろう。しかしながら、無線デバイスの本質的にモバイルな性質により、以前に利用可能であったチャネルは、あらゆる時点で、無線デバイスに対して利用不可能になりうる。例えば、ある無線デバイスが、別の無線デバイスがそのチャネルを使用しているエリアに入った場合、または、そのチャネルを使用している別の無線デバイスがこの無線デバイスのエリアに入った場合、以前は利用可能であったチャネル上に干渉が存在することとなりうる。ブルートゥースデバイスが、無線広帯域送信機（Ｗｉ−Ｆｉデバイスのような）によって引き起こされるそのような「新しい」干渉に影響を受けやすいチャネルを利用している場合、そのチャネルを回避するために、ブルートゥースデバイスの周波数ホッピングアルゴリズムを更新することが望まれうる。しかしながら、別のケースにおいて、例えば、チャネル上の干渉が別の無線狭帯域送信機（別のブルートゥースデバイスのような）によって引き起こされた場合、チャネル上の干渉は一時的であり、チャネルがブルートゥースデバイスの周波数ホッピングアルゴリズムの一部のままであることが望まれうる。
【０００４】
このように、ブルートゥースデバイスが、干渉源のタイプを決定できることが望まれうる。現在、ブルートゥースは、干渉を有するチャネルの受信信号強度インジケーション（ＲＳＳＩ）を決定することができるが、これは、干渉源が狭帯域送信機であるか、広帯域送信機であるかを示すわけではない。ブルートゥースは、さらに、可能なチャネルの全範囲にわたってバックグラウンドスキャンを実行することができるが、これらは、性能を損ない、電力を消費する傾向があり、散発性トラフィック（Ｗｉ−Ｆｉビーコンのような）の検出に適していない。そのため、比較的まれにバックグラウンドスキャンを使用することが好まれる。このように、当技術分野における改善が望まれる。
【発明の概要】
【０００５】
本発明の実施形態は、無線受信機を動作する方法に関する。いくつかの実施形態において、無線受信機は、ブルートゥース受信機のような無線狭帯域受信機でありうる。方法は、いくつかの実施形態において、第１の無線狭帯域送信機によって送信された信号の受信を試みる無線狭帯域受信機によって使用されうる。特に、信号が伝搬されるチャネル上の干渉（ノイズとも呼ばれる）のため、無線狭帯域受信機が第１の無線狭帯域送信機から信号を誤りなく受信することができない状況において、方法は、チャネル上の干渉源が無線広帯域送信機であるか、第２の無線狭帯域送信機であるかを決定するために使用されうる。そのような決定は、例えば、適応周波数ホッピング技術を使用するブルートゥースシステムのような複数のチャネルを利用するシステムにおいて、チャネルが使用され続けるべきであるか否かを決定する際に有益でありうる。
【０００６】
方法は、上述されたように、いくつかの実施形態において、ブルートゥース受信機のような無線狭帯域受信機でありうる無線受信機によって実施されうる。いくつかの実施形態において、無線受信機は、信号を受信するためのアンテナ、アンテナに結合されており、アンテナから信号を受信するように構成された信号処理ロジックと、信号処理ロジックに結合されており、例えば、信号処理ロジックによって信号に対して行われた測定を記憶するためのメモリを含みうる。様々な実施形態にしたがって、信号処理ロジックは、アナログロジック、デジタルロジック、プロセッサおよびメモリ（ＣＰＵ、ＤＳＰ、マイクロコントローラのような）、ＡＳＩＣ（特定用途向け集積回路）、ＦＰＧＡ（書替え可能ゲートアレイ）、あるいは、それらの任意の組み合わせを含む様々なタイプのロジックのいずれかでありうる。
【０００７】
信号は、無線受信機のチャネル上で受信されうる（例えば、アンテナによって）。信号の少なくとも一部は、第１の無線送信機から受信されうる。無線受信機は、いくつかの実施形態において、適応周波数ホッピングアルゴリズムを実施する無線狭帯域受信機でありうる。同様に、いくつかの実施形態において、第１の無線送信機は、適応周波数ホッピングアルゴリズムを実施し、かつ、無線狭帯域受信機と通信する無線狭帯域送信機でありうる。干渉がチャネル上に存在するか否か、および、信号を受信する際に１以上の誤りが検出されるか否かが決定されうる（例えば、信号処理ロジックによって）。様々な実施形態にしたがって、１以上の誤りは、数ある誤りの中でもとりわけ、受信信号を相互に関連付けないこと、周期的冗長検査（ＣＲＣ）の失敗を検出すること、あるいは、ＰＨＹ誤り検出することを含みうる。
【０００８】
いくつかの実施形態において、干渉がチャネル上に存在すると決定することは、１以上の誤りの検出に加えて、チャネル上の受信信号強度が第１の閾値を上回ると決定することを含みうる。例えば、これらの条件は、他に何が信号を正確に受信するために十分な信号強度となりうるかに関わらず、信号を受信する際に１以上の誤りが生じたため、チャネル上に干渉が存在することを示しうる。このように、チャネルの１以上の隣接周波数の受信信号強度を測定することが望まれうる。例えば、チャネルの隣接周波数の受信信号強度の測定は、チャネル内にしか干渉が存在しないか、あるいは、チャネルの外にも干渉が存在するかを示すインジケーションを提供しうる。かくして、そのような測定は、干渉源が単一のチャネル上でしか動作していない（場合、この源は、無線狭帯域送信機である可能性が高い）か、あるいは、干渉源が複数のチャネル上で動作している（この場合、この源は、無線広帯域送信機である可能性が高い）か、を決定するために使用されうる。
【０００９】
このように、干渉がチャネル上に存在し、信号を受信する際に１以上の誤りが検出されるとの決定に応じて、チャネルの１以上の隣接周波数の受信信号強度が測定されうる。いくつかの実施形態において、無線受信機は、受信信号の測定周波数を回転させるように動作可能な回転装置（rotator）を含みうる。例えば、回転装置は、受信信号の測定周波数を第１の周波数量ぶん回転させるように動作可能でありうる。チャネルの１以上の隣接周波数の受信信号強度を測定することは、結果として、チャネルの１以上の隣接周波数のそれぞれの隣接周波数ごとに、受信信号の測定周波数を回転させること（例えば、１回以上、受信信号の測定周波数を第１の周波数量ぶん回転させること）と、それによって、測定周波数をそれぞれの隣接周波数まで回転させることと、それぞれの隣接周波数の受信信号強度を測定することとを含む。いくつかの実施形態において、無線受信機は、受信信号に対して周波数ドメイン変換を実行することができる。例えば、無線受信機は、その信号処理ロジックの一部としてフーリエ変換を実施しうる。このように、そのような実施形態において、チャネルの１以上の隣接周波数の受信信号強度を測定することは、周波数ドメイン変換を受信信号に対して適用することと、周波数ドメイン変換された信号からチャネルの１以上の隣接周波数の受信信号強度を測定することとを含みうる。いくつかの実施形態において、干渉がチャネル上に存在しない場合、または、信号を受信する際に誤りが検出されなかった場合、隣接周波数の受信信号強度は測定されない可能性があることに注意されたい。
【００１０】
一度獲得されると、１以上の隣接周波数の受信信号強度の測定値は、例えば、上述されたように、チャネル上の干渉源が無線広帯域送信機であるか、無線狭帯域送信機であるかを決定する際に使用するために、メモリに記憶されうる。本明細書に記述されるシステムおよび方法を使用してチャネル上の干渉源のタイプを決定することは、特に、干渉源が送信帯域幅特徴に基づいて適度な精度で分類されうるシステムに有益でありうる。例えば、ブルートゥースおよびＷｉ−Ｆｉが最も一般的な送信機である２．４ ＧＨｚ帯域上において、この方法により、ブルートゥース受信機（無線狭帯域受信機）は、干渉を有するチャネルの使用が停止されるべきか（例えば、チャネルを使用する無線広帯域送信機が存在する場合、それは、永続的な干渉源である可能性が高い）、あるいは、このチャネルの将来的な使用の間の誤りを期待することなく使用され続けるべきか（例えば、このチャネルを使用する第２の無線狭帯域送信機が存在する場合、それは一時的な干渉源である可能性が高い）を迅速に決定することができる。
【００１１】
以下の図と共に、以下の発明が実施される形態を読んだ後、本発明のより深い理解が得られるであろう。
【図面の簡単な説明】
【００１２】
【図１】図１は、１つの実施形態にしたがって、インタラクトしている様々な例示的な無線デバイスを示す。
【図２】図２は、１つの実施形態にしたがった無線受信機の例示的なブロック図である。
【図３】図３は、１つの実施形態にしたがった無線受信機のより詳細な例示的なブロック図である。
【図４】図４は、１つの実施形態にしたがった無線受信機の一部の例示的なブロック図である。
【図５】図５は、１つの実施形態にしたがって、無線受信機を動作するための方法を示すフローチャート図である。
【発明を実施するための形態】
【００１３】
本発明は、様々な変更および代替形態に影響を受けやすいが、その特定の実施形態は、図面の例を使って示され、本明細書に詳細に記述される。しかしながら、図面とそれに対する詳細な記述は、本発明を、開示される特定の形態に限定することを目的としておらず、対照的に、本発明は、添付の請求項により定義される本発明の原理および範囲内である全ての変形、等価、代替をカバーするものであることが理解されるべきである。
【００１４】
図１−例示的な無線デバイスおよびそれらの間でのインタラクション
図１は、１つの実施形態にしたがい、様々な例示的な無線デバイスと、それらの無線デバイス間のインタラクションの１つの可能なセットとを示す。図１に示される様々な無線デバイスは、多数の異なる可能な無線デバイスのうちのほんの少数の例である。無線デバイスの例は、ポータブルコンピュータおよび他のモバイルコンピューティングデバイス、無線キーボードおよびマウスのような無線コンピュータ周辺機器、携帯電話（スマートフォンを含む）、携帯情報端末、マルチメディアプレーヤ（ポータブルまたは固定）、ルータ、および／または、無線通信を使用するように動作可能な他のモバイルデバイス／コンピューティングシステムを含みうる。
【００１５】
異なる無線デバイスは、１以上の無線プロトコルを使用して動作することができうる。例えば、２つの一般的な無線プロトコルは、ブルートゥースおよびＩＥＥＥ ８０２.１１／ＷＬＡＮ（Ｗｉ−Ｆｉとも呼ばれる）を含む。加えて、ＤＥＣＴ標準に従って動作するコードレス電話のようなコードレス電話は、別のタイプの無線通信を表す。各無線通信方法は、様々な方法で他とは異なりうる。１つの例として、ブルートゥースは、一般的に、ブルートゥースデバイスが１ ＭＨｚ幅のチャネル上で通信するという点で、「狭帯域」無線通信技術とみなされ、Ｗｉ−Ｆｉは、一般的に、Ｗｉ−Ｆｉデバイスが２２ ＭＨｚよりもはるかに広いチャネル上で通信するという点で「広帯域」無線通信技術とみなされうる。
【００１６】
「チャネル（channel）」という用語は、本明細書で使用される場合、例えば、送り側（送信機）から受信機に情報を伝達するために使用される媒体など、その一般的に認められた意味を有していると推測される。「チャネル」という用語の定義が、異なる無線標準により異なりうるため、本明細書において使用される「チャネル」という用語が、用語が使用される内容に関して、デバイスのタイプの標準と一致する方法で使用されているとみなされるべきであることに注意されたい。例えば、ブルートゥースデバイスに関して使用される場合、「チャネル」という用語は、ブルートゥース標準によってチャネルとして定義された１ ＭＨｚ帯域を指す。第２の標準を利用するデバイスに関して使用される場合、「チャネル」という用語は、第２の標準に準じた用語の定義にしたがって使用されるか、あるいは、第２の標準が「チャネル」という用語を定義しない場合、第２の標準に準じた等価的な用語にしたがって使用される。
【００１７】
無線デバイスは、無線信号を送信、受信、または送受信することができる。加えて、無線デバイスは、１以上の帯域幅範囲において信号を使用して動作するように構成されるか、あるいは、構成されることができうる。例えば、様々な無線デバイスによって一般的に使用される帯域は、無認可の２．４ ＧＨｚ ＩＳＭ周波数帯域である。この帯域が様々なデバイスによって一般的に使用されるため、いくつかのケースでは異なる無線プロトコルを利用する異なるタイプのデバイスを含むデバイス間に、潜在的に、ノイズおよび／または干渉を引き起こしうる競合する方法において、デバイスが、互いの範囲内で同じ周波数の同時の使用を試みる可能性がある。
【００１８】
図１において、４つの例示的な無線デバイスが示される：無線ルータ１９８、携帯電話１９０、１９６、および、ヘッドセット１００。ヘッドセット１００および携帯電話１９０が２．４ ＧＨｚ帯域上でブルートゥース接続を介して通信している状況を考慮する。特に、携帯電話１９０とヘッドセット１００との間の点線の矢印で示されるように、携帯電話１９０が、送信機として機能し、ヘッドセット１００が受信機として機能しているケースを考慮する。ブルートゥース接続の一部として、携帯電話１９０およびヘッドセット１００は、例えば、バックグラウンドスキャンに基づいて、利用可能なチャネルのセットとして決定されている可能性があり、それに応じて、チャネルの特定のセットを利用する同意の得られた周波数ホッピングパターンに続きうる。このチャネルのセットは、重要なバックグラウンドノイズまたは干渉が検出される任意のチャネルを排除しうる。例えば、無線広帯域送信機（例えば、無線ルータ１９８、Ｗｉ−Ｆｉデバイス）が帯域の一部上で送信している場合、この帯域の一部は、利用可能なチャネルのセットから排除されうる。
【００１９】
無線広帯域送信機が、バックグラウンドスキャン時に、携帯電話１９０およびヘッドセット１００の範囲内にあり、後に、携帯電話１９０およびヘッドセット１００の範囲内に入る場合（例えば、携帯電話１９０およびヘッドセット１００のユーザの移動により）、これは、携帯電話１９０およびヘッドセット１００によって使用されている１以上のチャネル上の永続的な干渉（ノイズ）源になりうる。例えば、無線ルータ１９８が、携帯電話１９０およびヘッドセット１００によって使用されているチャネル上で送信している場合、チャネル上で携帯電話１９０から信号の受信を試みる際に、ヘッドセット１００は、この信号（ルータ１９８とヘッドセット１００との間の点線で示される）をノイズとして受信しうる。これが生じた場合、携帯電話１９０およびヘッドセット１００が、チャネルの使用を中断することが望まれうる。
【００２０】
しかしながら、例えば、チャネル上での一時的な送信のため、干渉がそのチャネル上に一時的に存在する可能性もありうる。例えば、第２の無線狭帯域送信機（例えば、別のブルートゥースデバイスへのブルートゥース接続を介して通信している携帯電話１９６のような）が偶然、携帯電話１９０がその周波数ホッピングパターンの一部としてチャネル上で送信するのと同時に、ヘッドセット１００の範囲内で、その周波数ホッピングパターンの一部としてそのチャネル上での送信した場合、ヘッドセット１００は、信号（例えば、携帯電話１９６とヘッドセット１００との間の点線で示されるように、携帯電話１９６によって送信される信号）を干渉として受信しうる。このケースにおいて、チャネルが周波数ホッピングパターンで次に使用される際に干渉は存在しない可能性が高いため、携帯電話１９０およびヘッドセット１００が、このチャネルの使用を中断することは望まれない可能性がある。
【００２１】
このように、状況に依存して、利用可能であることが期待されるチャネル上で干渉が検出され、信号を受信する際に誤りを引き起こす場合、ブルートゥース接続を使用するデバイスがそのチャネルの使用を中断することは望まれうるか、あるいは、望まれない可能性がある。完全なバックグラウンドスキャンを実行し、帯域内の全てのチャネルの利用性を再度評価することによって、そのチャネルが使用され続けるべきか否かを決定することは可能でありうるが、これは、望ましいソリューションではない。バックグラウンドスキャンは、性能を損なわせ、電力を無駄する。そのため、毎回バックグラウンドスキャンを実行することは、受信の際に誤りを引き起こし、それは、性能とエネルギーの消耗となりうる。対照的に、本開示の実施形態は、そのようなチャネルの隣接周波数の受信信号強度を測定することに関し、それは、干渉（ノイズ）源が、狭帯域送信機であるか、広帯域送信機であるかを決定する比較的迅速かつ簡潔な手段を提供しうる。よって、本発明の実施形態は、スキャン時間を減らしうる。いくつかの状況では、バックグラウンドスキャンが依然として必要とされることが述べられているが、例えば、本明細書に記述された、チャネルの隣接周波数の受信信号強度を測定する方法（複数の回転装置周波数測定とも呼ばれうる）は、性能の増加を提供しうる。
【００２２】
当然、上に記述され、図１に示された例は、本開示が有利に実施されうる１つの可能な状況を表すが、本明細書に記述されたシステムおよび方法の一部または全部が、任意の数の別の状況において適用可能でありうることは認識されるであろう。結果として、本開示は、ブルートゥース実施に限定するものとみなされるべきではなく、他の無線システムの内容においても考慮されるべきである。
【００２３】
図２〜４−無線デバイスの例示的なブロック図
図２〜４は、いくつかの実施形態にしたがい、本開示の実施に使用されうる無線デバイスの例示的な実施形態を示すブロック図である。容易に認識されるように、無線デバイスが実施されうる方法で多大な数の変形が存在し、それは、本開示の利益を有する当業者に容易に明らかになるように、そのような実施および変形を詳細に記述するために本開示の範囲を超える。結果として、図のブロック図の例は、主に、従来の機能的グルーピングで本開示の実施に適した無線デバイスのコンポーネントを示し、それによって、本明細書に記述されるシステムおよび方法が容易に理解されうるこことが企図されうる。上に参照により組み込まれた「Hybrid Zero-IF Receiver」と題する米国特許出願第１２／０１６,９５５号は、いくつかの例示的な無線受信機設計のさらなる詳細を提供するが、それに記述されているシステムおよび例が本開示を制限するものとみなれるべきではないことに注意されたい。
【００２４】
図２に示されるように、無線デバイス１００は、無線信号を受信するためのアンテナ１０２、受信信号から情報を抽出するための信号処理ロジック１０６、データを記憶するためのメモリ１０４を含みうる。信号処理ロジック１０６は、アナログロジック、デジタルロジック、プロセッサおよびメモリ（ＣＰＵ、ＤＳＰ、マイクロコントローラなどの）、ＡＳＩＣ（特定用途向け集積回路）、ＦＰＧＡ（書替え可能ゲートアレイ）のような様々な方法、あるいは、それらの任意の組み合わせのうちのいずれかで実施されうる。
【００２５】
図３は、信号処理ロジック１０６がアナログ信号処理ロジック１０８、アナログ／デジタル変換器（ＡＤＣ）１１０、および、デジタル信号処理ロジック１１２を含む図２の無線デバイス１００の１つの可能な実施形態を示すブロック図である。換言すると、図３に示される実施形態において、信号処理ロジック１０６は、アナログおよびデジタルロジックの組み合わせでありうる。上述されたように、他の実施も可能でありうる。
【００２６】
示されるように、アナログ信号処理部１０８は、アンテナ１０２から信号を受信しうる。この受信信号に対して、１以上のアナログ信号処理機能がアナログ信号処理部１０８によって実行されうる。例えば、信号は、アナログ信号処理ロジック１０８によって、数ある可能な動作の中でもとりわけ、増幅され、中間周波数（ＩＦ）またはベースバンドの信号にダウンコンバートされ、および／または、フィルタリング（例えば、ローパスフィルタを使用して）されうる。アナログ信号処理ロジック１０８は、ＡＤＣ １１０に信号をパスし、それは、この信号をアナログ信号からデジタル信号に変換し、デジタル信号処理ロジック１１２にパスしうる。
【００２７】
デジタル信号処理部１１２は、この信号に対して１以上のデジタル信号処理機能を実行しうる。図４は、１つの実施形態にしたがって無線デバイス１００の例示的なデジタル信号処理部１１２の簡略化されたブロック図を示す。示されるように、デジタル信号処理ロジック１１２は、受信信号の測定周波数を回転させるように動作可能でありうるデジタル回転装置１１４、受信信号を相互に関連付け、それによって、信号からデータシンボルを抽出するために使用されうるシンボル検出器１１６、および、デジタル信号処理ロジック１１２の動作を制御するための制御ロジック１１８を含みうる。様々な実施形態にしたがって、デジタル信号処理部１１２は、さらに、任意の数の別のコンポーネントを含み、および／または、要望に応じて、示されたコンポーネントのうちの１以上に代わる別のコンポーネントを省略または代用しうる。
【００２８】
メモリ１０４は、あらゆる様々なタイプのデータ記憶するために使用されうる。例えば、下に記述される実施形態のうちのいくつかに記述されるように、メモリ１０４は、受信信号強度測定値のような、無線デバイスによって受信された信号に関する、あるいは、それに基づくデータを記憶するために使用されうる。メモリは、さらに、または、代替的に、無線デバイスによって受信された信号データを記憶（例えば、バッファ）するために使用されうる。加えて、メモリ１０４（または別のメモリ）は、例えば、無線デバイスの動作に使用するための、様々な機能を実行するように実行可能な（例えば、プロセッサによって）プログラム命令を記憶するために使用されうる。
【００２９】
図５−無線受信機を動作するための方法を示すフローチャート
図５は、無線デバイスを動作するための方法の１つの実施形態を示す。この方法により、無線デバイスは、無線デバイスが別の無線デバイスから通信の受信を試みているチャネル上に存在する干渉源のタイプを決定することができうる。図５に示された方法は、数ある無線デバイスの中でもとりわけ、上の図に示された任意の無線デバイスに関して使用されうる。特に、方法が、ブルートゥースデバイスのような狭帯域の、周波数ホッピング無線デバイスに関して使用されうるいくつかの実施形態が、いくつかの実施形態では、方法が、同様に、あるいは、代替的に、他のタイプの無線デバイスと使用されうるが、企図されうる。
【００３０】
様々な実施形態において、示される方法のエレメントのうちのいくつかは、同時に、あるいは、示されたものとは異なる順序で実行されうるか、あるいは、省略されうる。さらなる方法のエレメントも、要望に応じて、実行されうる。示されるように、この方法は、次のように動作しうる。
【００３１】
５０２において、信号がチャネル上で受信されうる。信号は、無線受信機によって受信されうる。信号の少なくとも一部は、無線受信機が通信の受信を試みている可能性のある第１の無線送信機から受信されうる。いくつかの実施形態において、無線受信機は、さらに、無線で送信することができる。同様に、第１の無線送信機は、無線で受信することができる。例えば、無線受信機および第１の無線送信機は、無線通信リンクを介して双方向に通信している可能性がある。本論述の目的のために、無線受信機の受信機能および第１の無線送信機の送信機能だけが関連性を有するため、それぞれのデバイスは、それぞれ、無線受信機および第１の無線送信機と呼ばれうる。
【００３２】
いくつかの実施形態において、無線受信機および第１の無線送信機は、狭帯域無線デバイスでありうる。いくつかの実施形態において、無線受信機および第１の無線送信機は、適応周波数ホッピングアルゴリズムを実施しうる。例えば、デバイスは、ブルートゥースデバイスであり、第１の無線送信機から送信される信号（それは、無線受信機によって受信される信号のうちの少なくとも一部を形成する）は、ブルートゥース信号でありうる。このケースにおいて、送信機および受信機による特定の時間におけるチャネルの使用は、互いに知っている周波数ホッピングパターンによって決定されている可能性がある。無線受信機が無線受信機の異なるタイプである実施形態も企図されうる。
【００３３】
いくつかの状況において、チャネル上で無線受信機によって受信された信号は、実質的に、第１の無線送信機によって送信された信号からのみ構成されうる。例えば、これは、無線受信機および第１の無線送信機が、無線受信機の受信範囲内のチャネル上で通信する唯一のデバイスであるケースでありうる。そのようなケースにおいて、チャネル上に干渉が存在しない可能性がある（あるいは、ほぼ存在しない可能性がある）。これらの状況において、全体として、この方法を実行するのに十分な理由は存在しない可能性がある。
【００３４】
しかしながら、これは、無線受信機の範囲内のチャネル上で送信する１以上の他の無線送信機が存在するケースでありうる頻度が高い。このケースにおいて、チャネル上に干渉が存在しうる。干渉が十分なレベルである場合、干渉（ノイズ）は、無線受信機によって信号を受信する際に１以上の誤りを引き起こしうる。例えば、無線受信機は、干渉するノイズが大きすぎる場合、信号を相互に関連付けることができない可能性がある。あるいは、無線受信機は信号を相互に関連付けうるが、例えば、恐らく、信号の一部が不正確に相互に関連付けられたことを示す周期的冗長検査（ＣＲＣ）誤りが検出されうる。
【００３５】
ＰＨＹ誤りは、起こりうる別の可能なタイプの誤りを表す。いくつかの実施形態において、期待されるパケットタイプの様々なセグメントまたは特徴の測定値に対して閾値が設定される。これらの特徴の測定値が閾値を下回る場合、これは、ＰＨＹ誤りと呼ばれうる。例えば、特定の自己相関または相互相関の結果は、パケットのプリアンブルセクションから期待され、この結果が達成されない場合、パケットがプロトコル内の有効なパケットであることはもはや考えられないため、このパケットはＰＨＹ誤りにより打ち切られうる。
【００３６】
当然、干渉に加えて、あるいは、それの代わりに、誤りは、さらに、受信信号の不十分な信号強度によって引き起こされうる。チャネル上での信号の受信における誤りの原因が所望信号の不十分な信号強度である場合、将来的な誤りを減らす手段としてチャネル上の干渉源の決定を試みることは、効率的ではない可能性がある。このように、いくつかの実施形態において、方法の一部は、受信信号が、干渉がない場合に正確に受信されるべきであった十分な強度を有している、と決定することを含みうる。あるいは、所望の信号が、誤りなく受信されるのに十分な強度を有すると決定するために他の手段が取られ、方法は、単に、干渉がチャネル上に存在すると決定することと、その干渉源を決定することに関与しうる。
【００３７】
このように、５０４において、干渉がチャネル上に存在すること、および、信号を受信する際に１以上の誤りが検出されることが決定されうる。いくつかの実施形態において、干渉がチャネル上に存在することを決定することは、実際に、チャネル上の受信信号強度が、信号を受信する際に１以上の誤りを検出することに加えて、第１の閾値を上回ると決定することを含みうる。例えば、受信信号強度が特定のレベルを上回ると、これは、誤りなく信号を受信するのに十分な信号強度が存在するはずであることを示しうる。十分な信号強度にもかかわらず１以上の誤りが検出された場合、これは、チャネル上の干渉を示しうる。
【００３８】
異なる無線システムは、異なるインデックスを使用して、受信信号強度を測定しうる。１つの例として、ブルートゥースデバイスは、受信信号の強度の測定値として、「受信信号強度インジケーション（ＲＳＳＩ）」を決定しうる。このように、いくつかの実施形態において、チャネル上の受信信号強度を決定することは、ＲＳＳＩ測定を行うことを含み、第１の閾値は、特定のＲＳＳＩ値でありうる。別の受信信号強度インジケータが、さらに企図される。
【００３９】
様々な実施形態にしたがって、所与の無線デバイス対して十分な信号強度を示す実際の受信強度閾値（例えば、第１の閾値）は、無線通信システム、デバイスのタイプ、および、当然、使用される受信信号強度インデックスを含む、任意の数の要因に依存しうる。干渉がチャネル上に存在することを決定する他の手段が、同様に、または、代替的に、使用され、それは、受信信号強度測定値に依存しうるか、あるいは、依存しない可能性があることに注意されたい。
【００４０】
５０６において、チャネルの１以上の隣接周波数の受信信号強度が測定されうる。チャネルの１以上の隣接周波数の受信信号強度は、干渉がチャネル上に存在し、信号を受信する際に１以上の誤りが検出されるとの決定に応じて測定されうる。チャネルの１以上の隣接周波数の受信信号強度を測定することは、干渉源が無線広帯域送信機であるか、第２の無線狭帯域送信機であるかを決定する簡潔な手段を提供しうる。例えば、干渉源が第２の無線狭帯域送信機であり、その信号の幅が単一のチャネルである場合、干渉は、そのチャネル上にしか存在しないはずであり、チャネルの隣接周波数の受信信号強度測定値は、より低い受信信号強度を示すはずである。一方、干渉源が無線広帯域送信機である場合、この干渉は、チャネルの隣接周波数上にも存在しうる。チャネルの隣接周波数の受信信号強度測定値は、これのインジケーションも提供しうる。
【００４１】
チャネルの隣接周波数の受信信号強度を測定する様々な方法が存在しうる。実施形態の１つのセットにおいて、受信信号の測定周波数を回転させるために回転装置を使用することが企図される。いくつかの無線デバイスにおいて、回転装置（例えば、デジタル回転装置）がデフォルトで使用され、低いＩＦ信号のために周波数が回転されうる。回転装置は、通常、所望のチャネル上で信号を受信するために、例えば、測定周波数を、ある固定周波数量ぶん回転させるように動作しうる。この固定周波数量は、様々な実施形態にしたがって、７００ ｋＨｚか、あるいは、ある別の量でありうる。いくつかの実施形態において、測定周波数の回転は、デフォルトの回転装置の周波数の正または負の倍数を含みうる。
【００４２】
このように、この機能は、いくつかの実施形態において、チャネルの隣接周波数の受信信号強度測定を行うために活用されうる。例えば、受信信号の測定周波数は、チャネルの隣接周波数の測定ごとに、１回または複数回、順方向または逆方向に回転されうる。このように、回転装置が、７００ ｋＨｚ単位で動作する場合、単に回転装置波形を通してステップのサインおよび数を変更するだけで、受信信号強度測定値が、＋／−７００ ｋＨｚ、＋／−１４００ ｋＨｚ、＋／−２１００ ｋＨｚで取られうる。これにより、チャネルの隣接周波数の受信信号強度を測定する比較的迅速な手段が提供され、それは、特に、それを行うようにシンセサイザが変更されることが要求されないためである。
【００４３】
実施形態の別のセットにおいて、周波数ドメイン変換を利用してチャネルの１以上の隣接周波数の受信信号強度を測定することが企図されうる。いくつかの無線デバイスは、それらの信号処理の一部として、受信信号に対して、高速フーリエ変換（ＦＦＴ）のような周波数ドメイン変換を実施しうる。そのような実施において、単に、周波数ドメイン変換された信号からチャネルの所望の隣接周波数の受信信号強度を測定することが可能でありうる。
【００４４】
回転装置および周波数ドメイン変換に基づく技術は、チャネルの隣接周波数の受信信号強度を測定するための技術の比較的迅速かつ簡潔な実施を表しうるが、当然、任意の数の他の技術が、そのような技術の代わりに、あるいは、そのような技術に加えて使用されうることは認識されるであろう。
【００４５】
５０８において、１以上の隣接周波数の受信信号強度の測定値は、メモリに記憶されうる。上述されたように、この測定値は、チャネル上の干渉源が、無線広帯域送信機であるか、第２の無線狭帯域送信機であるかを決定するために使用されうる。例えば、無線デバイスは、メモリから測定値を読み込み、この測定値に部分的または全体的に基づいてチャネル上の干渉源が無線広帯域送信機であるか、第２の無線狭帯域送信機であるかを決定するロジック（例えば、ハードウェアロジックまたはソフトウェア、あるいは、それらのある組み合わせ）を有しうる。
【００４６】
様々な実施形態にしたがって、次に、無線デバイスは、決定された干渉源に依存して、その動作の１以上の調整を行いうる。例えば、無線受信機が、２．４ ＧＨｚ帯域上で動作するブルートゥース受信機であり、干渉源が、無線狭帯域送信機であると決定された場合、干渉源は、第２のブルートゥース送信機である可能性が高い。このケースにおいて、無線受信機と通信しているブルートゥース送信機、および、第２のブルートゥース送信機は、ほぼ確実に、異なる周波数ホッピングパターンを使用しているため、干渉は、偶発的であり、チャネルは、依然として、ブルートゥース受信機と、それが通信しているブルートゥース送信機とによる使用に対して利用可能であるとみなされうる。一方、２．４ ＧＨｚ帯域上で動作するそのようなブルートゥース受信機が、干渉源が無線広帯域送信機であると決定した場合、干渉源は、ＷｉＦｉ送信機である可能性が高い。このケースにおいて、ＷｉＦｉ送信機は、チャネル上での送信し続ける可能性が高く、結果的に、それは、チャネル上の永続的な干渉源であることが期待されうる。このように、ブルートゥース受信機は、チャネルがもはや使用されるべきでないと決定し、周波数ホッピングパターンを調整して、そのチャネルを回避しうる。
【００４７】
２．４ ＧＨｚ帯域上で動作するブルートゥース受信機の上の例が、単に、本明細書に記述された方法によって取得された情報の１つの可能な解釈および使用を表すことは理解されるであろう。様々な実施形態にしたがって、干渉源のタイプについての知識（例えば、この源が無線狭帯域送信機であるか、あるいは、無線広帯域送信機であるか）は、さらに、あるいは、代替的に、別のタイプの無線デバイスによって使用され、および／または、要望に応じて、任意の数の別の方法で使用されうる。
【００４８】
本発明の実施形態
無線狭帯域受信機を動作する方法は、無線狭帯域受信機のチャネル上で信号を受信することと、ここにおいて、信号の少なくとも一部は、第１の無線狭帯域送信機から受信され、無線狭帯域受信機は、適応周波数ホッピングアルゴリズムを実施する、干渉がチャネル上に存在するか否か、および、信号を受信する際に１以上の誤りが検出されるか否かを決定することと、干渉がチャネル上に存在し、信号を受信する際に１以上の誤りが検出されるとの決定に応じて、チャネルの１以上の隣接周波数の受信信号強度を測定することと、１以上の隣接周波数の受信信号強度の測定値をメモリに記憶することとを備え、測定値は、チャネル上の干渉源が、無線広帯域送信機であるか無線狭帯域送信機であるかを決定するために使用される。
【００４９】
上に記述された方法であって、１以上の誤りは、受信信号を相互に関連付けないこと、周期的冗長検査（ＣＲＣ）の失敗、ＰＨＹ誤りのうちの１以上を備える。
【００５０】
上に記述された方法であって、無線狭帯域受信機は、受信信号の測定周波数を回転させるように動作可能な回転装置を含み、チャネルの１以上の隣接周波数の受信信号強度を測定することは、回転装置を使用して、受信信号の測定周波数をチャネルの１以上の隣接周波数まで回転させることを備える。
【００５１】
上に記述された請求項の方法であって、無線狭帯域受信機は、受信信号の測定周波数を第１の周波数量ぶん回転させるように動作可能な回転装置を含み、チャネルの１以上の隣接周波数のチャネルの受信信号強度を測定することは、チャネルの１以上の隣接周波数のそれぞれの隣接周波数ごとに、１回以上、受信信号の測定周波数を第１の周波数量ぶん回転させ、それによって、測定周波数をそれぞれの隣接周波数まで回転させることと、それぞれの隣接周波数の受信信号強度を測定することとを備える。
【００５２】
上に記述された請求項の方法であって、チャネルの１以上の隣接周波数の受信信号強度を測定することは、周波数ドメイン変換を受信信号に対して適用することを備える。
【００５３】
上に記述された方法であって、チャネルの１以上の隣接周波数の受信信号強度を測定することは、周波数ドメイン変換を受信信号に適用することと、周波数ドメイン変換された信号からチャネルの１以上の隣接周波数の受信信号強度を測定することとを備える。
【００５４】
上に記述された方法であって、チャネルの１以上の隣接周波数の受信信号強度を測定することは、干渉がチャネル上に存在しない場合、あるいは、信号を受信する際に誤りが検出されない場合、実行されない。
【００５５】
上に記述された方法であって、無線狭帯域受信機は、ブルートゥース受信機である。
【００５６】
上に記述された方法であって、干渉がチャネル上に存在するか否かを決定することは、チャネル上の受信信号強度が第１の閾値を上回るか否か、および、信号を受信する際に１以上の誤りが検出されるか否かを決定することを備える。
【００５７】
無線狭帯域受信機であって、無線狭帯域受信機のチャネル上で信号を受信するためのアンテナと、ここにおいて、信号の少なくとも一部は、第１の無線狭帯域送信機から受信され、無線狭帯域受信機は、適応周波数ホッピングアルゴリズムを実施する；アンテナに結合された信号処理ロジックと、ここにおいて、信号処理ロジックは、アンテナから信号を受信するように構成され、信号処理ロジックは、干渉がチャネル上に存在するか否か、および、信号を受信する際に１以上の誤りが検出されるか否かを決定し、干渉がチャネル上に存在し、信号を受信する際に１以上の誤りが検出されるとの決定に応じて、チャネルの１以上の隣接周波数の受信信号強度を測定するように構成される；信号処理ロジックに結合されており、１以上の隣接周波数の受信信号強度の測定値を記憶するためのメモリと、ここにおいて、測定値は、干渉源が、無線広帯域送信機であるか、第２の無線狭帯域送信機であるかを決定するために使用される、を備える。
【００５８】
上の受信機であって、１以上の誤りは、受信信号を相互に関連付けないこと、周期的冗長検査（ＣＲＣ）の失敗、ＰＨＹ誤りのうちの１以上を備える。
【００５９】
上の受信機であって、信号処理ロジックは、受信信号の測定周波数を回転させるように動作可能な回転装置を備え、信号処理ロジックは、チャネルの１以上の隣接周波数の受信信号強度を測定し、回転装置を使用して、受信信号の測定周波数をチャネルの１以上の隣接周波数まで回転させるように構成される。
【００６０】
上の受信機であって、信号処理ロジックは、受信信号の測定周波数を第１の周波数量ぶん回転させるように動作可能な回転装置を備え、チャネルの１以上の隣接周波数の受信信号強度を測定するように構成された信号処理ロジックは、チャネルの１以上の隣接周波数のそれぞれの隣接周波数ごとに、回転装置を使用して、１回以上、受信信号の測定周波数を第１の周波数量ぶん回転させ、それによって、測定周波数をそれぞれの隣接周波数まで回転させ、それぞれの隣接周波数の受信信号強度を測定するように構成される。
【００６１】
上の受信機であって、チャネルの１以上の隣接周波数の受信信号強度を測定するように構成された信号処理ロジックは、周波数ドメイン変換を受信信号に対して適用する。
【００６２】
上の受信機であって、チャネルの１以上の隣接周波数の受信信号強度を測定するように構成された処理信号ロックは、周波数ドメイン変換を受信信号に対して適用して、周波数ドメイン変換された信号からチャネルの１以上の隣接周波数の受信信号強度を測定する。
【００６３】
上の受信機であって、干渉がチャネル上に存在しない場合、あるいは、信号を受信する際に誤りが検出されない場合、無線狭帯域受信機は、チャネルの１以上の隣接周波数の受信信号強度を測定しない。
【００６４】
上の受信機であって、無線狭帯域受信機は、ブルートゥース受信機である。
【００６５】
上の受信機であって、干渉がチャネル上に存在するか否かを決定するように構成された信号処理ロジックは、チャネル上の受信信号強度が第１の閾値を上回るか否か、および、信号を受信する際に１以上の誤りが検出されるか否かを決定するように構成される。
【００６６】
無線受信機を動作する方法であって、無線受信機のチャネル上で信号を受信することと、ここにおいて、信号のうちの少なくとも一部は、第１の無線送信機から受信される；干渉が無線受信機のチャネル上に存在するか否か、および、受信信号が相互に関連付けられたか否かを決定することと、干渉が無線受信機のチャネル上に存在し、受信信号が相互に関連付けられていないとの決定に応じて、チャネルの１以上の隣接周波数の受信信号強度を測定することと、１以上の隣接周波数の受信信号強度の測定値をメモリに記憶することと、ここにおいて、測定値は、干渉源のタイプを決定するために使用される、を備える。
【００６７】
上に記述された方法であって、無線受信機は、受信信号の測定周波数を回転させるように動作可能な回転装置を含み、チャネルの１以上の隣接周波数の受信信号強度を測定することは、回転装置を使用して、受信信号の測定周波数をチャネルの１以上の隣接周波数まで回転させることを備える。
【００６８】
上に記述された方法であって、チャネルの１以上の隣接周波数の受信信号強度を測定することは、周波数ドメイン変換を受信信号に対して適用することを備える。
【００６９】
上に記述された方法であって、チャネルの１以上の隣接周波数の受信信号強度を測定することは、干渉が無線受信機のチャネル上に存在しない場合、あるいは、受信信号が相互に関連付けられている場合、実行されない。
【００７０】
上の実施形態は、かなり詳しく記述されているが、上述の開示が十分に認識されれば、多数の変形および変更が当業者に明らかになるであろう。次の請求項が、全てのそのような変形および変更を包含すると解釈されることは企図されうる。
以下に本願発明の当初の特許請求の範囲に記載された発明を付記する。
［Ｃ１］
無線受信機を動作する方法であって、
前記無線受信機のチャネル上で信号を受信することと、ここにおいて、前記信号のうちの少なくとも一部は、第１の無線送信機から受信される、
干渉が前記チャネル上に存在するか否か、および、前記信号を受信する際に１以上の誤りが検出されるか否かを決定することと、
干渉が前記チャネル上に存在し、前記信号を受信する際に１以上の誤りが検出されるとの決定に応じて、
前記チャネルの１以上の隣接周波数の受信信号強度を測定することと、
前記１以上の隣接周波数の受信信号強度の測定値をメモリに記憶することと
を備え、前記測定値は、干渉源のタイプを決定するために使用される方法。
［Ｃ２］
前記第１の無線送信機は、無線狭帯域送信機である、Ｃ１に記載の方法。
［Ｃ３］
前記無線狭帯域受信機は、適応周波数ホッピングアルゴリズムを実施する、先行Ｃのうちのいずれかに記載の方法。
［Ｃ４］
前記測定値は、前記チャネル上の干渉源が、無線広帯域送信機であるか、第２の無線狭帯域送信機であるかを決定するために使用される、先行Ｃのうちのいずれかに記載の方法。
［Ｃ５］
前記１以上の誤りは、
前記受信信号を相互に関連付けないこと、
周期的冗長検査（ＣＲＣ）の失敗、
ＰＨＹ誤り
のうちの１以上を備える、先行Ｃのうちのいずれかに記載の方法。
［Ｃ６］
前記無線狭帯域受信機は、前記受信信号の測定周波数を回転させるように動作可能な回転装置を含み、
前記チャネルの１以上の隣接周波数の受信信号強度を測定することは、前記回転装置を使用して、前記受信信号の前記測定周波数を前記チャネルの前記１以上の隣接周波数に回転させることを備える、
先行Ｃのうちのいずれかに記載の方法。
［Ｃ７］
前記無線狭帯域受信機は、前記受信信号の測定周波数を第１の周波数量ぶん回転させるように動作可能な回転装置を含み、
前記チャネルの１以上の隣接周波数の受信信号強度を測定することは、前記チャネルの前記１以上のそれぞれの接隣接周波数ごとに、
前記受信信号の測定周波数を、１回以上、前記第１の周波数量ぶん回転させ、それによって、前記測定周波数を前記それぞれの隣接周波数に回転することと、
前記それぞれの隣接周波数の前記受信信号強度を測定することと、
を備える、先行Ｃのうちのいずれかに記載の方法。
［Ｃ８］
前記チャネルの１以上の隣接周波数の受信信号強度を測定することは、周波数ドメイン変換を前記受信信号に適用することを備える、先行Ｃのうちのいずれかに記載の方法。
［Ｃ９］
前記チャネルの１以上の隣接周波数の受信信号強度を測定することは、
周波数ドメイン変換を前記受信信号に対して適用することと、
前記周波数ドメイン変換された信号から前記チャネルの前記１以上の隣接周波数の受信信号強度を測定することと
を備える、先行Ｃのうちのいずれかに記載の方法。
［Ｃ１０］
前記チャネルの１以上の隣接周波数の受信信号強度を測定することは、干渉が前記チャネル上に存在しない場合、あるいは、前記信号を受信する際に誤りが検出されない場合、実行されない、先行Ｃのうちのいずれかに記載の方法。
［Ｃ１１］
前記無線狭帯域受信機は、ブルートゥース受信機である、先行Ｃのうちのいずれかに記載の方法。
［Ｃ１２］
干渉が前記チャネル上に存在すると決定することは、前記チャネル上の受信信号強度が、第１の閾値を上回るか否か、および、前記信号を受信する際に１以上の誤りが検出されるか否かを決定することを備える、先行Ｃのうちのいずれかに記載の方法。
［Ｃ１３］
Ｃ１乃至１２のいずれかに記載の方法にしたがって動作する無線受信機。
【図１】
0005628421.tif 000002
【図２】
0005628421.tif 000003
【図３】
0005628421.tif 000004
【図４】
0005628421.tif 000005
【図５】
0005628421.tif 000006